(57)【要約】本発明は携帯無線装置を試験するアンテナカプラに関する。そのアンテナカプラは平板型結合要素を有する回路基板（８）を有する。回路基板（８）の第１側面において、結合要素に近接して携帯無線装置を位置付けるための受信装置が備えられている。このために、少なくとも１つのスリット構造（１１，１１′）が、回路基板（８）の第１側面の接地金属化体（７）において備えられている。結合要素としての役割を果たすスリット構造（１１，１１′）に給電するために、少なくとも１つのストリップ導体が、スリット構造と対向しない第２側面に備えられる。ストリップ導体は、第１側面におけるスリット構造（１１，１１′）間に存在する接地金属化体（７）を有するマイクロストリップ導体を構成する。
2011507423.tif 000002
【特許請求の範囲】
【請求項１】
プリント回路基板においてストリップ導体により平板状に形成された結合要素と、該結合要素に近接して携帯無線装置を位置付けるプリント回路基板の第１側面において形成された保持装置とを有する前記携帯無線装置を試験するためのアンテナカプラであって：
前記プリント回路基板の前記第１側面において、少なくとも１つのスリット構造が、前記プリント回路基板に形成された接地金属化体７に導入され、結合要素としての役割を果たす前記スリット構造に給電するように、第１側面と対向していない第２側面において形成された少なくとも１つのストリップラインは、前記第１側面の前記スリット構造間に存在する接地金属化体７と共にマイクロストリップラインを構成する；
ことを特徴とするアンテナカプラ。
【請求項２】
請求項１に記載のアンテナカプラであって、前記スリット構造は螺旋形状に形成される、ことを特徴とするアンテナカプラ。
【請求項３】
請求項２に記載のアンテナカプラであって、前記螺旋形状のスリット構造は、少なくとも１つのスリットアーム部分により最初に給電点の周囲の領域に形成されて、アルキメデス螺旋を描き、前記少なくとも１つのスリットアーム部分は、前記給電点から、対数螺旋を描く第２スリットアーム部分に更に進む領域に次第に変わる、ことを特徴とするアンテナカプラ。
【請求項４】
請求項２又は３に記載のアンテナカプラであって、各々の場合に前記給電点と対向していないスリットアームの端部は、前記スリットの方向に連続的に配置された複数の抵抗により終端とされる、ことを特徴とするアンテナカプラ。
【請求項５】
請求項１に記載のアンテナカプラであって、前記スリット構造は、平行に配置された直線状の複数のスリット要素を有し、該スリット要素の長さは、前記給電点からの距離が増加するにつれて増加する、ことを特徴とするアンテナカプラ。
【請求項６】
請求項５に記載のアンテナカプラであって、前記スリット要素は共通のスリット部分に関して延び、前記共通のスリット部分は、前記スリット要素が延びる方向に対して垂直に、そして第１方向に及び該第１方向と逆の第２方向に、前記給電点まで延びている、ことを特徴とするアンテナカプラ。
【請求項７】
請求項５又は６に記載のアンテナカプラであって、前記スリットアーム又は前記スリット要素並びに／若しくは前記共通のスリット部分は、前記給電点からの距離が増加するにつれて増加する幅を提供する、ことを特徴とするアンテナカプラ。
【請求項８】
請求項２乃至４の何れか一項に記載のアンテナカプラであって、前記スリットアームのスリット幅は一定である、ことを特徴とするアンテナカプラ。
【請求項９】
請求項１乃至８の何れか一項に記載のアンテナカプラであって、前記スリット構造は、スリット端部をミアンダ化することにより少なくとも一部が限定される、ことを特徴とするアンテナカプラ。
【請求項１０】
請求項１乃至９の何れか一項に記載のアンテナカプラであって、前記プリント回路基板の前記第１側面は誘電体材料で覆われ、前記保持装置は、前記第１側面と対向していない前記誘電体材料の側面において形成されている、ことを特徴とするアンテナカプラ。
【請求項１１】
請求項１乃至１０の何れか一項に記載のアンテナカプラであって、反射器は、螺旋形状スリット構造を伴って円錐台形状に形成され、平行なスリット要素として形成された角柱としてのスリット構造を伴って、前記プリント回路基板の前記第２側面に備えられている、ことを特徴とするアンテナカプラ。
【請求項１２】
請求項１１に記載のアンテナカプラであって、反射器は、前記アンテナカプラのハウジング部分により構成される、ことを特徴とするアンテナカプラ。
【請求項１３】
請求項１１又は１２に記載のアンテナカプラであって、前記反射器と前記スリット構造との間の中間の空間は誘電体材料で充填されている、ことを特徴とするアンテナカプラ。
【請求項１４】
請求項１乃至１０の何れか一項に記載のアンテナカプラであって、平板型反射器は、該平板型反射器の側面において、前記プリント回路基板と対向して吸収材料が備えられている側の平板型反射器は、前記プリント回路基板の第２側面に形成されている、ことを特徴とするアンテナカプラ。
【請求項１５】
請求項１４に記載のアンテナカプラであって、前記吸収材料の最大厚さは、前記反射器の前記プリント回路基板から空間的距離の三分の一である、ことを特徴とするアンテナカプラ。
【発明の詳細な説明】
【技術分野】
【０００１】
本発明は、携帯無線装置を試験するアンテナカプラに関する。
【背景技術】
【０００２】
携帯無線装置の試験のために、従来、携帯無線装置が試験装置に接続されることにより、携帯無線装置に対する別個の接続が備えられていた。しかしながら、このことは、携帯無線装置のハードウェアの一部のみが試験で用いられるという不利点を有している。従って、信号の送信は、例えば、無線インタフェースを介しては実行されないが、ケーブル結束接続を介して実行される。アンテナカプラは、この不利点を改善するように開発されたものである。アンテナカプラは、試験の実行のためにアンテナカプラに接続された試験装置と携帯無線装置との間で信号を伝送するように容量結合又は誘導結合を用いる。これに関連する１つの課題は、異なる複数の携帯無線装置は異なる周波数領域で動作することである。このことは、一般に、カプラ内で複数アンテナの配列を必要とし、それぞれのアンテナに対する携帯無線装置の正確な位置付けが、選択的なアンテナの挙動のために実施される必要がある。この課題を解決するために、螺旋形状の構造的に平坦なアンテナの使用について、独国特許第１０２００４０３３３８３Ａ１号明細書に開示されている。このアンテナは、改善された結合特性を有し、特に、広帯域手法で用いられる。螺旋形状アンテナ構造は、例えば、プリント回路基板に形成されたストリップ導体により提供されることが可能である。アンテナカプラのために提供されている螺旋アンテナを用いると、近傍界で従来のアンテナを用いる場合、放射素子、即ち、螺旋アンテナと、携帯無線装置における金属製の放射アンテナ部分との間で強い相互作用が生じることが問題である。
【先行技術文献】
【特許文献】
【０００３】
【特許文献１】独国特許第１０２００４０３３３８３Ａ１号明細書
【発明の概要】
【発明が解決しようとする課題】
【０００４】
従って、本発明の目的は、アンテナカプラであって、広帯域手法で用いられることが可能であり、そのアンテナカプラにより近傍界における金属物体の性能への影響ができるだけ小さくなる、アンテナカプラを提供することである。
【課題を解決するための手段】
【０００５】
その目的は、請求項１の特徴を有する本発明に従ったアンテナカプラにより達成される。
【０００６】
携帯無線装置を試験するための本発明に従ったアンテナカプラは、プリント回路基板におけるストリップ導体により平坦な形状に形成された結合要素を提供する。プリント回路基板の第１側面に、結合要素の直接的な近傍に携帯無線装置の位置付けのために保持装置が備えられる。プリント回路基板の第１側面に、少なくとも１つのスリット構造が、接地金属化体に導入される。接地金属化体から離れたプリント回路基板の第２側面に形成されたストリップ導体は、結合要素としての機能を有するスリット構造に給電する役割を果たす。このストリップ導体は、第１側面に形成された接地金属化体の残りの部分とマイクロストリップラインを形成する。
【０００７】
プリント回路基板に備えられていて、広帯域手法で機能するアンテナ構造の使用であって、平坦な形状に形成される結合要素がスリット構造として備えられる、アンテナ構造の使用は、従来の携帯無線周波数をカバーするように、１つのアンテナのみが設定される必要があることを意味する。そのような広帯域アプリケーションを可能にする従来のアンテナを用いる場合、例えば、携帯無線装置における金属物体のために存在する影響は、スリット構造を使用することにより、それに関連して、抑制される。特に、そのようなスリット構造を使用することは、近距離場領域における相互作用に照らしてアンテナを考慮する従来の近似は適用できないために、有利である。
【０００８】
本発明に従ったアンテナカプラの有利な更なる進展については、独立請求項に記載されている。
【０００９】
螺旋形状のスリット構造の形成は、特に好ましい。この種類の螺旋形状スリット構造を用いる場合、優れた結合の結果が、アンテナカプラが提供される一般にかなり限定された幾何学的寸法において得られる。スリット状の且つ螺旋状に巻回された結合構造により、優れた結合係数が、上記のように、全体的なアンテナカプラの性能が金属物体との相互作用により損なわれることなく、達成される。
【００１０】
少なくともシングルアームで螺旋スリットアンテナの螺旋の中心を構成する給電点から開始する場合、給電点から更に除去された領域における対数螺旋に合流するアルキメデス螺旋が形成されることが特に適切であることが判明した。そのような配列は、広帯域手法で動作する携帯無線装置についての結合装置の形成について特に適切であることが判明した。
【００１１】
螺旋形状構造を有する全てのスリットアームの給電点から遠い端部は、連続的に配列された複数の抵抗により好適に終端処理される。それらの抵抗は、スリット構造のスリットを横断して亘るように、好適にはＳＭＤ技術を用いて配列される。従って、それぞれのスリット構造のインピーダンスが補正された終端部が得られ、必要な空間についての要求はかなり低い。
【００１２】
螺旋形状の実施形態に対する代替の実施形態としては、所謂対数周期型スリットアンテナは、結合要素としても備えられることが可能である。これに関連して、給電点からの距離が増加するにつれて長さが増加する、平行に配列された複数の直線状のスリット要素が、形成された接地金属化体を遮ることにより、プリント回路基板の第１側面に形成される。個別のスリット要素は、一端部において互いに対して接続され、このようにして形成される共通のスリット成分は、スリット要素の長手方向に対して垂直である。そのような配列は、結合構造の特性を改善するために用いられる反射器が特定の単純な形状にあるように形成されることが可能である。
【００１３】
螺旋スリット構造の場合のスリットアームのスリット幅、又は対数周期型スリット構造の場合の共通のスリット部分の及びスリット要素のスリット幅は、好適な一実施形態に従って、給電点からの距離が増加するにつれて、増加する。他の実施形態に従って、アンテナ構造が結合要素として用いられる、全体的な周波数領域に亘る均一なスリット幅を与えることは、螺旋形状スリット構造により特に有利である。
【００１４】
結合特性は、スリット構造がミアンダ状に形成される場合、更に改善されることが可能である。これに関連してそのミアンダ状の幾何学的構成は、例えば、矩形構造、三角形構造又は正弦波経路を与えることが可能である。全体的な幾何学的構成は楕円形状である又は対数周期型である一方、個別のスリットアーム又はスリット要素は、この基本的な形状をミアンダ状に辿る。
【００１５】
反射器は、好適には、プリント回路基板の第２側面に形成される。螺旋スリット構造により、後者は円錐台状に形成され、それとは対照的に、対数周期型結合要素の幾何学的構成により、それは角柱として形成される。これに関連して、アンテナカプラのハウジング部分として反射器を形成することは特に好適である。ハウジングはその場合、好適には、ボックス形状の密閉ハウジングとして形成され、カバー要素は折り畳み状にデザインされている。下部は、アンテナカプラのプリント回路基板を収容する役割を果たし、下部のベースは、その場合、特に反射器として形成される。反射器と結合要素としてのスリット構造との間の中間の空間は、特に良好な測定値を得るように誘電体材料で満たされることが可能である。特定の優先性により、この誘電体材料は、形成される構造と共にプリント回路基板を固定する役割を果たすように形成される。
【００１６】
平板状反射器を有するアンテナカプラの形成は特に好適である。この平板状反射器は、その場合、プリント回路基板の第２側面に備えられている。吸収材料は、プリント回路基板に対向する反射器の側に備えられている。平板型構成の点で、アンテナカプラの全体的な構造的空間が減少されることが可能である。携帯無線技術の分野におけるアプリケーションについて、プリント回路基板と反射器との間の空間的距離は１６ｍｍで与えられる。
【００１７】
最大の厚さが反射器とプリント回路基板との間の空間的距離の三分の一である、反射器における吸収材料を備えることは特に有利である。特に好適には、反射器とプリント回路基板との間の空間的距離は１６ｍｍであり、吸収材料の厚さは５ｍｍで与えられる。吸収材料は、ここでは、特に、カーボンが満たされた吸収材料フォーム（ｆｏａｍ）である。この構成は、反射減衰の結果として低リップルが生じるという有利点を有する。
【００１８】
図は本発明に従ったアンテナカプラの実施例を示し、それらの図については、以下の詳述で十分に詳細に説明されている。
【図面の簡単な説明】
【００１９】
【図１】本発明に従ったアンテナカプラの開放されたハウジングの斜視図である。
【図２ａ】螺旋形状スリット幾何学的構成及び反射器を有するアンテナカプラを示す図である。
【図２ｂ】螺旋スリット構造のための円錐台形状反射器を示す図である。
【図３ａ】対応して形成された反射器を有する結合要素としての対数周期型構造を示す図である。
【図３ｂ】対数周期型構造スリット構造のための反射器の三次元ビューを示す図である。
【図４】スリット構造としての２つのアームを有するアルキメデス螺旋を示す図である。
【図５】２つのアームを有するアルキメデス螺旋の他の実施例を示す図である。
【図６】広いスリットアームを有する２つのアームを有するアルキメデス螺旋を示す図である。
【図７】内側領域におけるアルキメデス螺旋と、一定のスリットアーム幅を有する外側領域における対数型の２つのアームを有する螺旋とを示す図である。
【図８】蛇行状スリットスリット幾何学的構成の説明としての実施例を示す図である。
【図９】図１のハウジング内に備えられたアンテナカプラを介する部分断面を示す図である。
【図１０】図１のハウジング内に備えられた平板状反射器を有するアンテナカプラを介する部分断面を示す図である。２つのアームを有するアルキメデス螺旋の他の実施例を示す図である。
【図１１】励起中心の例示として図７の対数型の２アームを有する螺旋の中心についての詳細を示す図である。
【発明を実施するための形態】
【００２０】
図１は、アンテナカプラのハウジング１を示す図である。ハウジング１は、下部２ａ及びカバー部２ｂを備えている。下部２ａ及びカバー部２ｂは、連接様式で互いに接続されている。下部２ａは一方側が開状態にあり、第１ボリューム４を囲んでいる。複数の結合構造が形成された少なくともプリント回路基板が、平板型基板のみが図１において挿入されているこの第１ボリュームに挿入される。
【００２１】
第２ボリュームが、カバー部２ｂ内に同様に形成される。この第２ボリューム５は、ハウジング１の例示としての実施形態においては空である。しかしながら、第２ボリューム５は吸収材料で満たされていることが、同様に考えられる。例えば、ピラミッド形構造が吸収材料において形成されることが可能であり、全体的な吸収要素がカバー部２ｂに取り付けられている。更に、閉機構３がカバー部２ｂに形成されている。例示としての実施形態においては、これは回転可能であり、下部２ａにおける係止突起において係合する。カバー部２ｂが閉状態にあるとき、ハウジング１は、高周波シールされた密閉型ユニットを構成し、それ故、そのハウジング内に備えられた携帯無線装置の試験は、外部の干渉源により妨害されることはない。
【００２２】
図２ａは、本発明に従ったアンテナカプラの第１の例示としての実施形態を示している。アンテナカプラ１０はプリント回路基板８を有する。接地金属化体７は、カバー部２ｂの方にハウジング１内への取り付け中に方向付けられるプリント回路基板８の第１側面に取り付けられる。スリット構造が接地金属化体７に導入される。例示としての実施形態においては、スリット構造は、螺旋形状に形成され、第１スリットアーム１１及び第２スリットアーム１１′を備えている。２つのスリットアーム１１、１１′は、給電点９で互いに合流する。給電点からの距離が増加するにつれて、第１スリットアーム１１及び第２スリットアーム１１′の幅は増加する。給電点９から距離を置いたスリットアーム１１、１１′の端部は、接地金属化体７内に尚も完全に備えられている。測定の実施のために適切であるスリット１１、１１′の終端を得るように、各々のスリットアーム１１、１１′は端部領域１２、１２′においてそれぞれテーパが付けられている。
【００２３】
接地金属化体７におけるスリット構造の形成は、例えば、エッチングにより従来の方法で実施されることが可能である。反射器６、即ち、金属要素により、複数の電磁場が、試験される携帯無線装置に対向しているプリント回路基板８の第１側面において確実に重畳される。
【００２４】
周波数に依存して、所謂スリット構造の活性領域が、結合要素の各々の場合に得られる。活性ゾーンは実質的に円環であり、その円環の中心点は給電点９と一致している。周波数を増加するにつれて、その円環の平均直径は減少される。プリント回路基板８の第２側面からの反射器６の空間的距離は波長に依存するため、反射器６の円錐台形状幾何学的構成が、上限閾値周波数を考慮して得られる。この種類の円錐台形状幾何学的構成について、三次元ビューで図２ｂに示されている。反射器６は円形セグメント３及び円錐表面領域１４を有する。これに関連して、給電点９から円形セグメント１３までの距離は上限閾値周波数により決定される。
【００２５】
スリット構造はまた、導電性を提供するために、従って、電磁波がスリットを通って案内されるために、近接場及び散乱場において結合機構が存在する。従って、その構造についての技術的な下限閾値周波数以下でも、結合が生じ得る。
【００２６】
アンテナカプラ２０と、アンテナ利得の改善のための関連反射器と共に結合要素としてのスリット構造の形成とについての更なる実施例が、図３ａ及び３ｂに示されている。図３ａは、所謂、対数周期型構造を示している。これに関連して、複数のスリット要素２１．１，．．．，２１．１４が各々の場合に互いに対して平行に備えられている。２つの隣接するスリット要素２１．ｉの中心間の空間的距離ｄｉは、従って、給電点１９からの距離が増加するにつれて増加する。同時に、スリット幅ｂｉも拡大される。空間的距離ｄｉ及びスリット幅ｂｉは、給電点１９からの距離の対数に関連して拡大される。このスリット要素２１．ｉは、共通のスリット部分２３を介して互いに接続される。スリット要素２１．ｉは、反対方向における各々の場合に、この共通のスリット部分２３から交番する様式で拡大する。共通のスリット部分２３、及び個別のスリット要素２１．ｉの拡大方向は互いに対して垂直に備えられ、共通のスリット部分２３は給電点１９を通る。スリット要素２１．ｉの代替の構成は、全体として、給電点１９に対する点対称幾何学的構成が得られるように選択される。視認性の改善を可能にするように、参照番号は、スリット要素２１．ｉの一部のみについて示されている。
【００２７】
各々の場合、共通のスリット部分２３と対向していないスリット要素２１．ｉの端部は、共通のスリット部分２３の一方側に拡大するスリット要素２１．ｉの端部が、給電点１９を通る共通の直線上に備えられるように、形成される。これは、共通のスリット部分２３の他方側に拡大するスリット要素２１．ｉについて同じ様式で適用される。結果として得られる全体的なスリット構造の外側限界は、従って、ダブルコーンを通る断面と略等しい。活性ゾーンは、長さが約λ／４である又はいくらか短いスリット要素２１．ｉによる各々の場合に生成される。
【００２８】
結果的に得られる対称性のために、反射器６′は、ここでは、もはや円錐台形状としてではなく、直線的な角柱として、ベース面として両側の辺が等しく形成されている。このように、プリント回路基板８の第２側面から所定距離において、上限閾値周波数に依存して備えられる反射器セグメント２５が再度得られ、その第２側面に対数周期型スリット構造が形成される。後者の両側面において、第１反射器面２４又は第２反射器面２４′が形成され、プリント回路基板８の第２側面からそれまでの距離は、反射器セグメント２５からの空間的距離の増加に伴って増加する。
【００２９】
反射器６又は６′がハウジング１の下部２ａのベースにより形成されるかどうかが、特に選択可能である。付加的な構造上の構成要素が、結果的に節約されることが可能である。
【００３０】
図４は、螺旋形状スリット構造の更なる実施例を示している。このようにして形成されるアンテナカプラ３０は再度、第１スリットアーム３１及び第２スリットアーム３１′である２つのアームを有する螺旋スリット構造が備えられている。２つのスリットアーム３１及び３１′の各々は、接線方向に延びているスリット端部３２又は３２′を備えている。全体としての構造は、アンテナカプラ３０の給電点２９に対して対称的である。連続的に配列された一連の複数の抵抗３３及び３３′が各々の端部領域３２、３２′に備えられている。それらの抵抗は、各々のスリットアーム３１、３１′の両側に残っている接地金属化体部分に接続されている。例えば、１００Ωのサージインピーダンスを有するスリットアームの終端は、ＳＭＤ技術を用いて好適に取り付けられた抵抗３３及び３３′の選択により広範囲に亘って変えられることが可能である。図４に示しているアルキメデス螺旋として形成されている密に形成された螺旋により、得られた構造は、携帯無線装置の位置決めにおける位置不確定性に対して特に影響され難い。これとは対照的に、図５に示しているアルキメデス螺旋は粗に形成されている。ここではまた、その螺旋は、第１スリットアーム４１及び第２スリットアーム４１′である２つのアームを伴ってデザインされている。それぞれの端部領域４２、４２′はまた、ＳＭＤ抵抗４３、４３′の列を介して終端が形成されている。抵抗の使用に加えて、均一な幅のスリットアーム４１、４１′のスリット幅は、給電点３９から距離を置いた端部の方向にテーパが付けられることが可能である。
【００３１】
図６は、対数的に巻かれた螺旋を示している。その螺旋形状スリット構造は再度、アンテナカプラ５０を構成する第１スリットアーム５１及び第２スリットアーム５１′を備えている。給電点４９から開始して、対数的螺旋の幾何学的構成が、第１スリットアーム５１及び第２スリットアーム５１′の端部５２、５２′の領域まで存在している。従って、上記の図４及び５による実施例とは対照的に、スリット端部５２、５２′は、給電点４９の方へのスリットアーム５１、５１′の幾何学的構成と異なっていない。端部領域５２、５２′は、その場合、上記のように、テーパが付けられている。再度、連続的な複数の抵抗５３又は５３′が、スリットアーム５１、５１′の終端についてのテーパが付けられた領域に備えられている。スリットアームのサージインピーダンスは、他の実施例と同様に、好適には１００Ωである。
【００３２】
スリット構造の更なる例示としての実施形態が図７に示されている。再度その図に示されているアンテナカプラ６０は２つのアームを有する螺旋を備えている。アルキメデス螺旋が、アンテナカプラ６０の給電点５９から開始して、最初に形成されている。給電点５９からの距離が増加するにつれて、アルキメデス螺旋は対数的螺旋になる。各々の第１領域６１ａ、６１ａ′の最初の等間隔のスリットアーム部分とは異なり、第２スリットアーム６１′の第１スリットアーム６１及び第２スリットアーム６１′の第２領域６１ｂ及び６１′ｂにおける第２スリットアーム部分において螺旋が形成されている。
【００３３】
図６の対数的螺旋と同様に、スリットアーム６１、６１′のそれぞれの端部領域６２、６２′において連続的に配列された複数の抵抗の形で終端が備えられている。給電点４９からの距離が増加するにつれて、スリットアーム５１、５１′の幅が増加する図６の螺旋とは対照的に、図７の例示としての実施形態における第１スリットアーム６１及び第２スリットアーム６１′のスリット幅は一定である。
【００３４】
上記の実施例の各々はスリット要素又はスリットアームを示し、そのスリット要素又はスリットアームにおいては、スリットを構成する接地金属化体の端部の形成は実質的に直線的である、又は螺旋の経路に対応して曲線的に延びている。それとは対照的に、図８においては、ミアンダ構造が示されている。螺旋スリット構造の場合のスリット要素２１．ｉか又はスリットアームのどちらかの方向に対応するスリットの実質的な広がりが、図８に一点鎖線で示されている。しかしながら、スリットの端部は、ここでは、スリットアーム又はスリット要素の実質的な方向に対して平行に延びていない。それとは対照的に、規則的なミアンダ構造７０が形成されている。このような種類のスリットのミアンダ構造７０により、下限閾値周波数は再度、減少されることが可能である。特に、結合構造の、従って、アンテナカプラの全体的な寸法は低減されることが可能である。図８においては、矩形状ミアンダが示されている。
【００３５】
しかしながら、三角形形状又は連続的形状も、同様に用いられることが可能である。例えば、正弦波形状が想定される。
【００３６】
ミアンダ構造７０は、スリットアームの終わりの延びにおいて特に備えられている。従って、図４及び５の場合のように、それぞれのスリットアーム４１、４１′又は３１、３１′は接線状に延び終わることが可能である。従って、直線状に延びている部分は、螺旋形状部分とスリット端部３２、３２′又は４２、４２′との間で特に現れ、抵抗３３、３３′又は４３、４３′が、スリットアーム３１、３１′又は４１、４１′の終端について配列されている。直線状に延びているこの部分は、好適には、ミアンダ構造７０の形成のために用いられている。このように接線状に延びている部分はまた、図６及び７の実施例の場合にも備えられることが可能である。この場合にも、ミアンダ構造７０が、スリットアームについて直線状に形成される。
【００３７】
最終的に、図９は、図１に従ったハウジングに挿入されたときの、上記の幾何学的構成を有するアンテナカプラの断面を示している。反射器６がハウジングの下部２ａの一部により形成されていることは明らかである。プリント回路基板８は、後者からある空間的距離に備えられている。接地金属化体７は、プリント回路基板上に備えられている。示されている例示としての実施形態においては、接地金属化体７はカバー要素１７によりカバーされている。このカバー要素は誘電体材料から成り、試験される携帯無線装置を保持して位置付けるために用いられる。この目的のために、各々の場合に試験される携帯無線装置の幾何学的構成に適合されることが可能である凹部１８が備えられている。勿論、別個のホルダ又は単なる位置決め補助部も備えられることが可能である。更に、ストリップ導体１５が、反射器６に対向しているプリント回路基板８の第２側面上に形成されることは明らかである。スリット１１、１１′間に存在する接地金属化体７と共に、これはマイクロストリップラインを構成する。ストリップ導体１５は、結合構造に給電するために用いられ、従って、中央に備えられた給電点９に繋がっている。対応するストリップラインは、勿論、図３ａの対数周期型構造の場合にも存在する。
【００３８】
更に、図９は、反射器６とプリント回路基板８との間に存在する中間の空間が誘電体材料１６で満たされている好適な実施形態を示している。特に、誘電体充填層１６及びプリント回路基板８は、それらがハウジング１の下部２ａへの１つの装置として挿入されるように、互いに接続されることが可能である。
【００３９】
図１０は、アンテナカプラの断面の更なる実施例を示している。これに関連して、平板上反射器６′′が、プリント回路基板８から空間的距離ｄに形成されている。平板型反射器６′′は再度、ハウジングベースにより実現されることが可能である。吸収材料７５が、プリント回路基板８に対向している平板型反射器６′′の表面に備えられている。吸収材料７５は、例えば、カーボン充填吸収フォームである。吸収材料７５の厚さは、好適には、空間的距離ｄの三分の一より幾らか小さい。１つの特に好適な例示としての実施形態においては、特に、カーボン充填吸収フォームとしての吸収材料を用いて、空間的距離ｄは１６ｍｍであり、吸収材料の厚さｔは５ｍｍである。
【００４０】
図７のアンテナカプラの中心が再度、図１１において拡大されて示されている。これに関連して、プリント回路基板の他の側面に備えられたストリップ導体１５が、２つのスリットアーム６１ａ、６１′ａ間に破線で示されている。給電点５９の領域において、後者は、プリント回路基板の第１側面上に形成されたスリット構造と交差する。それは、その端部において、スリット構造間に形成された接地金属化体７にスルーコンタクト７６を介して接続されている。
【００４１】
平板型反射器６′′とプリント回路基板８との間の小さい空間的距離は、アンテナカプラのより小さい全体としての構造のボリュームに繋がるばかりでなく、更に製造における他の有利点を提供するものである。アンテナカプラのハウジングについての材料除去コストは、その結果、かなり低減される。
【００４２】
本発明は、上記の例示としての実施形態に限定されるものではない。特に、異なる例示としての実施形態における個別の特徴はまた、有利に互いと組み合わされることが可能である。従って、特に、円錐台状反射器６は、螺旋形状のスリット構造の全てと組み合わされることが可能である。更に、１つのアームを有する又は複数のアームを有する複数の螺旋が、上記の例示としての２つのアームを有する螺旋に代わって用いられることが可能である。
【００４３】
更に、スリット要素又はスリットアームの終端を改善するように、スリットのそれぞれの端部に矢筈模様の構造が備えられることが可能である。アンテナカプラは、一波長までの空間的距離を有する近傍界において結合するように特に備えられるものである。
【図１】
2011507423.tif 000003
【図２ａ】
2011507423.tif 000004
【図２ｂ】
2011507423.tif 000005
【図３ａ】
2011507423.tif 000006
【図３ｂ】
2011507423.tif 000007
【図４】
2011507423.tif 000008
【図５】
2011507423.tif 000009
【図６】
2011507423.tif 000010
【図７】
2011507423.tif 000011
【図８】
2011507423.tif 000012
【図９】
2011507423.tif 000013
【図１０】
2011507423.tif 000014
【図１１】
2011507423.tif 000015
【国際調査報告】
2011507423.tif 000016
2011507423.tif 000017
2011507423.tif 000018
2011507423.tif 000019
2011507423.tif 000020
2011507423.tif 000021
2011507423.tif 000022
2011507423.tif 000023
2011507423.tif 000024
2011507423.tif 000025